(57)【特許請求の範囲】
【請求項１】
光ディスクの内周側に設けられている試し書き領域にテスト信号を記録するとともに記録されたテスト信号の特性に基づいてレーザー出力を設定するように構成された光ディスク記録再生装置のレーザー出力設定方法であり、レーザー出力の設定動作を行うとき、光ディスクの種別を検出するとともに検出された光ディスクのレーザー出力データであるディスクデータの有無を検出し、ディスクデータが有る場合、ディスクデータに基いて設定されるレーザー出力にてテスト信号を記録した後記録されたテスト信号のβ値を検出し、検出されたβ値が設定範囲のとき該テスト信号を記録したレーザー出力を記録動作を行うレーザー出力として設定し、β値が設定範囲外のとき、β値のズレを補正する方向にレーザー出力を１段階変更してテスト信号の記録動作及びβ値の検出動作を繰り返し行い、レーザー出力の変更によるテスト信号の記録動作を所定回数行ったにも係らずβ値が設定範囲内に入らない場合、規定値のレーザー出力にてテスト信号を記録した後記録されたテスト信号のβ値を検出し、検出されたβ値が設定範囲のとき該テスト信号を記録したレーザー出力を記録動作を行うレーザー出力として設定し、β値が設定範囲外のとき、β値のズレを補正する方向にレーザー出力を１段階変更してテスト信号の記録動作及びβ値の検出動作を繰り返し行うことによってレーザー出力を設定するようにしたことを特徴とする光ディスク記録再生装置のレーザー出力設定方法。
【請求項２】
光ディスクの内周側に設けられている試し書き領域にテスト信号を記録するとともに記録されたテスト信号の特性に基づいてレーザー出力を設定するように構成された光ディスク記録再生装置のレーザー出力設定方法であり、レーザー出力の設定動作を行うとき、光ディスクの種別を検出するとともに検出された光ディスクのレーザー出力データであるディスクデータの有無を検出し、ディスクデータが有る場合、ディスクデータに基いて設定されるレーザー出力にてテスト信号を記録した後記録されたテスト信号のβ値を検出し、検出されたβ値が設定範囲のとき該テスト信号を記録したレーザー出力を記録動作を行うレーザー出力として設定し、β値が設定範囲外のとき、β値のズレを補正する方向にレーザー出力を１段階変更してテスト信号の記録動作及びβ値の検出動作を繰り返し行い、レーザー出力の変更によるテスト信号の記録動作を第１所定回数行ったにも係らずβ値が設定範囲内に入らない場合、規定値のレーザー出力にてテスト信号を記録した後記録されたテスト信号のβ値を検出し、検出されたβ値が設定範囲のとき該テスト信号を記録したレーザー出力を記録動作を行うレーザー出力として設定し、β値が設定範囲外のとき、β値のズレを補正する方向にレーザー出力を１段階変更してテスト信号の記録動作及びβ値の検出動作を繰り返し行い、レーザー出力の変更によるテスト信号の記録動作を第２所定回数行ったにも係らずβ値が設定範囲内に入らない場合、エラーとして処理するようにしたことを特徴とする光ディスク記録再生装置のレーザー出力設定方法。
【請求項３】
ディスクデータが無い場合、規定値のレーザー出力にてテスト信号を記録した後記録されたテスト信号のβ値を検出し、検出されたβ値が設定範囲のとき該テスト信号を記録したレーザー出力を記録動作を行うレーザー出力として設定し、β値が設定範囲外のとき、β値のズレを補正する方向にレーザー出力を１段階変更してテスト信号の記録動作及びβ値の検出動作を繰り返し行い、レーザー出力の変更によるテスト信号の記録動作を第２所定回数行ったにも係らずβ値が設定範囲内に入らない場合、エラーとして処理するようにしたことを特徴とする請求項２に記載のレーザー出力設定方法。
【請求項４】
レーザー出力の設定が正常に行われたとき、その出力データをディスクデータとしてメモリー回路に記憶させるようにしたことを特徴とする請求項１又は請求項２に記載のレーザー出力設定方法。
【請求項５】
レーザー出力の設定が正常に行われなかったとき、メモリー回路に記憶されているディスクデータをクリアするようにしたことを特徴とする請求項２に記載のレーザー出力設定方法。
【発明の詳細な説明】
【技術分野】
【０００１】
本発明は、光ディスク記録再生装置に関し、特に光ディスクに信号を記録するために適したレーザー出力を設定する方法に係る。
【背景技術】
【０００２】
光学式ピックアップから照射されるレーザー光によって光ディスクに信号を記録することが出来る光ディスク記録再生装置が普及しており、斯かる光ディスク記録再生装置の代表的なものとしてＣＤと呼ばれる光ディスクを使用するものがある。
【０００３】
斯かる光ディスク記録再生装置としてＣＤ−Ｒと呼ばれる追記型の光ディスクを使用するものがあり、斯かる光ディスクには、周知のようにプリグルーブと呼ばれる蛇行した溝が形成されており、斯かる溝から得られるウォブル信号を復調することによって同期信号や光ディスク上の位置を示す位置情報データ(一般にＡＴＩＰと呼ばれている。)を得るように構成されている。
【０００４】
また、斯かる記録可能な光ディスクには、光ディスクの製造会社や光ディスクの種別を示すデータ信号が記録されており、光ディスク記録再生装置では、斯かるデータを認識することによってレーザー出力の設定動作等を行うように構成されている。
【０００５】
そして、記録可能な光ディスクの内周側には、レーザー出力の設定動作を行う場合に使用される試し書き領域が設けられており、光ディスク記録再生装置では、斯かる試し書き領域にレーザー出力を変更しながらテスト信号を記録し、その記録されたテスト信号の再生特性を検出することによってレーザー出力の設定動作を行うように構成されている。
【０００６】
斯かる光ディスク再生装置の中には、光ディスクの種別に基づいてレーザー出力値をメモリー回路に記憶させておき、該メモリー回路に記憶されているディスクデータを利用してレーザー出力の設定動作を行うようにした技術が開発されている(例えば、特許文献１参照。)。
【特許文献１】特開２００４−１９９７４９号公報
【発明の開示】
【発明が解決しようとする課題】
【０００７】
特許文献１には、記録に使用される光ディスクの種別と一致したディスクデータがテーブルデータとして記憶されている場合、該ディスクデータを利用してレーザー出力の設定動作を行い、ディスクデータが記憶されていない場合には、基本記録パルス信号を利用してレーザー出力の設定動作を行うようにした技術が記載されている。
【０００８】
最近では、同一種別の光ディスクであってもディスクメーカーの特性変更や海賊版と呼ばれる不正に製造された光ディスクが市場で販売されているため、メモリー回路に記憶されているディスクデータと記録特性が大きく相違する光ディスクがある。斯かる場合には、レーザー出力の設定動作が正常に行われない場合やレーザー出力設定動作が長時間行われて試し書き領域が無くなるというような問題が発生する。
【０００９】
本発明は、斯かる問題を解決することが出来るレーザー出力設定方法を提供しようとするものである。
【課題を解決するための手段】
【００１０】
本発明は、レーザー出力の設定動作を行うとき、光ディスクの種別を検出するとともに検出された光ディスクのレーザー出力データであるディスクデータの有無を検出し、ディスクデータが有る場合、ディスクデータに基いて設定されるレーザー出力にてテスト信号を記録した後記録されたテスト信号のβ値を検出し、検出されたβ値が設定範囲のとき該テスト信号を記録したレーザー出力を記録動作を行うレーザー出力として設定し、β値が設定範囲外のとき、β値のズレを補正する方向にレーザー出力を１段階変更してテスト信号の記録動作及びβ値の検出動作を繰り返し行い、レーザー出力の変更によるテスト信号の記録動作を所定回数行ったにも係らずβ値が設定範囲内に入らない場合、規定値のレーザー出力にてテスト信号を記録した後記録されたテスト信号のβ値を検出し、検出されたβ値が設定範囲のとき該テスト信号を記録したレーザー出力を記録動作を行うレーザー出力として設定し、β値が設定範囲外のとき、β値のズレを補正する方向にレーザー出力を１段階変更してテスト信号の記録動作及びβ値の検出動作を繰り返し行うことによってレーザー出力を設定するように構成されている。
【００１１】
また、本発明は、レーザー出力の設定動作を行うとき、光ディスクの種別を検出するとともに検出された光ディスクのレーザー出力データであるディスクデータの有無を検出し、ディスクデータが有る場合、ディスクデータに基いて設定されるレーザー出力にてテスト信号を記録した後記録されたテスト信号のβ値を検出し、検出されたβ値が設定範囲のとき該テスト信号を記録したレーザー出力を記録動作を行うレーザー出力として設定し、β値が設定範囲外のとき、β値のズレを補正する方向にレーザー出力を１段階変更してテスト信号の記録動作及びβ値の検出動作を繰り返し行い、レーザー出力の変更によるテスト信号の記録動作を第１所定回数行ったにも係らずβ値が設定範囲内に入らない場合、規定値のレーザー出力にてテスト信号を記録した後記録されたテスト信号のβ値を検出し、検出されたβ値が設定範囲のとき該テスト信号を記録したレーザー出力を記録動作を行うレーザー出力として設定し、β値が設定範囲外のとき、β値のズレを補正する方向にレーザー出力を１段階変更してテスト信号の記録動作及びβ値の検出動作を繰り返し行い、レーザー出力の変更によるテスト信号の記録動作を第２所定回数行ったにも係らずβ値が設定範囲内に入らない場合、エラーとして処理するように構成されている。
【００１２】
そして、本発明は、ディスクデータが無い場合、規定値のレーザー出力にてテスト信号を記録した後記録されたテスト信号のβ値を検出し、検出されたβ値が設定範囲のとき該テスト信号を記録したレーザー出力を記録動作を行うレーザー出力として設定し、β値が設定範囲外のとき、β値のズレを補正する方向にレーザー出力を１段階変更してテスト信号の記録動作及びβ値の検出動作を繰り返し行い、レーザー出力の変更によるテスト信号の記録動作を第２所定回数行ったにも係らずβ値が設定範囲内に入らない場合、エラーとして処理するように構成されている。
【００１３】
また、本発明は、レーザー出力の設定が正常に行われたとき、その出力データをディスクデータとしてメモリー回路に記憶させるように構成されている。
【００１４】
そして、本発明は、レーザー出力の設定が正常に行われなかったとき、メモリー回路に記憶されているディスクデータをクリアするように構成されている。
【発明の効果】
【００１５】
本発明は、レーザー出力の設定動作を行うとき、光ディスクの種別を検出するとともに検出された光ディスクのレーザー出力データであるディスクデータの有無を検出し、ディスクデータが有る場合、ディスクデータに基いて設定されるレーザー出力にてテスト信号を記録した後記録されたテスト信号のβ値を検出し、検出されたβ値が設定範囲のとき該テスト信号を記録したレーザー出力を記録動作を行うレーザー出力として設定し、β値が
設定範囲外のとき、β値のズレを補正する方向にレーザー出力を１段階変更してテスト信号の記録動作及びβ値の検出動作を繰り返し行い、レーザー出力の変更によるテスト信号の記録動作を所定回数行ったにも係らずβ値が設定範囲内に入らない場合、規定値のレーザー出力にてテスト信号を記録した後記録されたテスト信号のβ値を検出し、検出されたβ値が設定範囲のとき該テスト信号を記録したレーザー出力を記録動作を行うレーザー出力として設定し、β値が設定範囲外のとき、β値のズレを補正する方向にレーザー出力を１段階変更してテスト信号の記録動作及びβ値の検出動作を繰り返し行うことによってレーザー出力を設定するようにしたので、ディスクデータが相違していてもレーザー出力の設定動作を行うことが出来る。
【００１６】
また、本発明は、レーザー出力の設定動作を行うとき、光ディスクの種別を検出するとともに検出された光ディスクのレーザー出力データであるディスクデータの有無を検出し、ディスクデータが有る場合、ディスクデータに基いて設定されるレーザー出力にてテスト信号を記録した後記録されたテスト信号のβ値を検出し、検出されたβ値が設定範囲のとき該テスト信号を記録したレーザー出力を記録動作を行うレーザー出力として設定し、β値が設定範囲外のとき、β値のズレを補正する方向にレーザー出力を１段階変更してテスト信号の記録動作及びβ値の検出動作を繰り返し行い、レーザー出力の変更によるテスト信号の記録動作を第１所定回数行ったにも係らずβ値が設定範囲内に入らない場合、規定値のレーザー出力にてテスト信号を記録した後記録されたテスト信号のβ値を検出し、検出されたβ値が設定範囲のとき該テスト信号を記録したレーザー出力を記録動作を行うレーザー出力として設定し、β値が設定範囲外のとき、β値のズレを補正する方向にレーザー出力を１段階変更してテスト信号の記録動作及びβ値の検出動作を繰り返し行い、レーザー出力の変更によるテスト信号の記録動作を第２所定回数行ったにも係らずβ値が設定範囲内に入らない場合、エラーとして処理するようにしたので、テスト信号の記録動作が長時間行われることを防止することが出来る。
【００１７】
そして、本発明は、ディスクデータが無い場合、規定値のレーザー出力にてテスト信号を記録した後記録されたテスト信号のβ値を検出し、検出されたβ値が設定範囲のとき該テスト信号を記録したレーザー出力を記録動作を行うレーザー出力として設定し、β値が設定範囲外のとき、β値のズレを補正する方向にレーザー出力を１段階変更してテスト信号の記録動作及びβ値の検出動作を繰り返し行い、レーザー出力の変更によるテスト信号の記録動作を第２所定回数行ったにも係らずβ値が設定範囲内に入らない場合、エラーとして処理するようにしたので、海賊版ディスクのように光ディスクの種別を認識出来ない場合におけるレーザー出力の設定動作を速やかに行うことが出来る。
【００１８】
また、本発明は、レーザー出力の設定動作が正常に行われたとき、その出力データをディスクデータとしてメモリー回路に記憶させるようにしたので、次回の記録動作を行う場合に正確、且つ速やかにレーザー出力の設定動作を行うことが出来る。
【００１９】
そして、本発明は、レーザー出力の設定動作が正常に行われなかったとき、メモリー回路に記憶されているディスクデータをクリアするようにしたので、その後のレーザー出力の設定動作を行う場合に間違ったディスクデータを使用することはなく、レーザー出力の設定動作を無駄な動作を行うことなく行うことが出来る。
【発明を実施するための最良の形態】
【００２０】
本発明は、記録用の光ディスクの内周側に設けられている試し書き領域を利用してレーザー出力の設定動作を行う方法に関するものである。
【実施例】
【００２１】
図１は本発明のレーザー出力設定方法を示すフローチャート、図２は本発明に係る光デ
ィスク装置の一実施例を示すブロック回路図、図３は本発明の動作を説明するための信号波形図である。
【００２２】
図２において、１はスピンドルモーター２によって回転駆動されるターンテーブル３上に載置されて回転駆動される光ディスク、４は光ディスク１にレーザー光を照射させるレーザーダイオード５が組み込まれているとともに光ディスク１の信号面より反射されるレーザー光を受ける光検出器６が組み込まれている光学式ピックアップであり、対物レンズ７をトラッキング方向へ偏倚させるトラッキングコイル８及び該対物レンズ７を光ディスク１の信号面方向へ変位させるフォーカスコイル９が設けられているとともスレッドモーター(図示せず)の回転動作によって該光学式ピックアップ４の本体が光ディスク１の径方向に変位せしめられるように構成されている。
【００２３】
１０は前記光学式ピックアップ４に組み込まれている光検出器６から得られる信号が入力されるフロントエンド処理回路であり、２値化信号、高周波信号、トラッキングエラー信号及びフォーカスエラー信号を生成出力するように構成されている。斯かるフロントエンド処理回路による信号処理動作は周知の回路によって行うことが出来るので、その説明は省略する。
【００２４】
１１は前記フロントエンド処理回路１０から出力されるトラッキングエラー信号及びフォーカスエラー信号が入力されるとともに各信号に基づいて光学式ピックアップ４の制御動作を行う信号を出力するピックアップ制御回路であり、トラッキング制御信号、フォーカス制御信号及びスレッドモーター制御信号を各動作用のサーボ回路によって出力するように構成されている。
【００２５】
１２は前記ピックアップ制御回路１１から出力されるトラッキング制御信号が入力されるとともにその信号に応じたトラッキングコイル駆動信号を前記トラッキングコイル８に供給するトラッキングコイル駆動回路、１３は前記ピックアップ制御回路１１から出力されるフォーカス制御信号が入力されるとともにその信号に応じたフォーカスコイル駆動信号を前記フォーカスコイル９に供給するフォーカスコイル駆動回路である。
【００２６】
１４は前記フロントエンド処理回路１０から出力される２値化信号、即ちデジタル信号が入力されるデジタル信号処理回路であり、デジタル信号処理動作を行うことによって再生信号、同期信号及び位置情報データ等の復調動作を行うように構成されている。
【００２７】
１５は前記フロントエンド処理回路１０から出力される高周波信号が入力されるβ値検出回路であり、高周波信号のレベルからβ値を検出するように構成されている。図３は光ディスク１に記録されている信号を再生した場合に得られる信号の波形図であり、Ａ１及びＡ２は、高周波信号のプラス側のピークレベル及びマイナス側のピークレベルである。斯かる条件において、β値は、β＝（Ａ１＋Ａ２）／（Ａ１−Ａ２）と表され、このβ値が所定値のとき光ディスク１に記録された信号が規格に合致していると判定されるので、このβ値を検出することによって記録動作を行うレーザー出力の良否を判定することが出来る。
【００２８】
１６はフラッシユＲＯＭ等のメモリー素子(図示せず)に記憶されているプログラムソフトに基づいて各種の制御動作を行うシステム制御回路であり、前記デジタル信号処理回路１４にて復調される各種の信号及び前記β値検出回路１５から得られる信号に基づく制御動作を行うように構成されている。
【００２９】
１７はホストであるコンピューター装置(図示せず)から出力される記録信号がインターフェース回路(図示せず)を介して入力される記録信号処理回路であり、記録信号を光ディ
スク１に記録する信号規格に合わせた変調処理動作を行うように構成されている。１８は前記記録信号処理回路１７によって変調処理された記録信号が入力されるとともに記録信号に応じた記録パルス信号を生成する記録パルス生成回路であり、ＣＤ規格のディスクの場合には、３Ｔ〜１１Ｔの長さのピットを形成するためのパルス信号を生成するように構成されている。
【００３０】
１９は前記記録パルス生成回路１８から出力される記録用のパルス信号が入力されるレーザー駆動回路であり、入力されるパルス信号に対応した波形の駆動信号を前記レーザーダイオード５に供給するとともにその出力レベルは、前記システム制御回路１６によって設定されるように構成されている。
【００３１】
２０は前記スピンドルモーター２を回転駆動するスピンドルモーター駆動回路であり、光ディスク１から得られる同期信号と基準クロック信号生成回路(図示せず)から生成される基準同期信号とを同期させることによって光ディスク１を線速度一定にて回転駆動するように構成されている。そして、基準同期信号の周波数を制御することによって線速度を規定線速度の８倍及び１２倍等の高速である線速度一定の状態にて回転駆動させることが出来るように構成されている。
【００３２】
２１は光ディスク１の種別や記録速度に応じたレーザー出力のデータがディスクデータとして記憶されるディスクデータメモリー回路であり、前記システム制御回路１６によってデータの記憶動作やクリア動作等が制御されるように構成されている。
【００３３】
以上に説明したように本発明に係る光ディスク記録再生装置は構成されているが、次に動作について説明する。光ディスク１に記録されている信号の再生動作は、光ディスク１を所望の回転速度にて回転駆動させるとともに信号面にレーザー光を合焦させるフォーカス制御動作及び信号トラックにレーザー光を追従させるトラッキング制御動作が行われた状態にて行われる。
【００３４】
光ディスク１の信号面にレーザー光を合焦させるフォーカス制御動作は、フロントエンド処理回路１０から生成されるフォーカスエラー信号に基づく制御信号をピックアップ制御回路１１に組み込まれているフォーカスサーボ回路によるサーボ動作によつて生成し、その制御信号に基づくフォーカスコイル駆動信号をフォーカスコイル駆動回路１３からフォーカスコイル９に供給することによって行われる。
【００３５】
また、光ディスク１の信号トラックにレーザー光を追従させるトラッキング制御動作は、フロントエンド処理回路１０から生成されるトラッキングエラー信号に基づく制御信号をピックアップ制御回路１１に組み込まれているトラッキングサーボ回路によるサーボ動作によつて生成し、その制御信号に基づくトラッキングコイル駆動信号をトラッキングコイル駆動回路１２からトラッキングコイル５に供給することによって行われる。
【００３６】
光ディスク１の信号トラックにレーザー光を追従させるトラッキング制御動作は、トラッキングコイル８にトラッキングコイル駆動信号を供給することによって行われるが、斯かる動作は対物レンズ７を偏倚させることによって行うものであり、該対物レンズ７の偏倚量が所定量に達した場合、即ちそれ以上の偏倚動作を行うことが出来ない状況になるとスレッドモーターによる光学式ピックアップ４本体の移動動作が行われる。
【００３７】
前述したフォーカス制御動作及びトラッキング制御動作を行うことによって光ディスク１に記録されている信号の再生動作が行われるが、斯かる再生動作は、光ディスク１に記録されている信号、即ちピットによって記録されている信号に対して行われる。
【００３８】
光ディスク１に記録されているピットに基づいて読み出される再生信号は、フロントエンド処理回路１０からデジタル信号として出力されてデジタル信号処理回路１４に入力される。ピットに基づいて再生される信号の中には同期信号が含まれており、斯かる同期信号は、デジタル信号処理回路１４による復調動作によって抽出されることになる。
【００３９】
このようにして抽出された同期信号を利用して再生信号の復調動作を行うためのクロック信号が生成されるとともにスピンドルモーター２の回転制御動作に該同期信号は利用されることになる。即ち、同期信号と基準同期信号とが同期するようにスピンドルモーター２の回転速度を制御することによって光ディスク１を線速度一定にて回転駆動することが出来る。
【００４０】
斯かる状態において、光ディスク１に記録されている信号の再生動作が行われ、その再生信号は、デジタル信号処理回路１３によって信号処理された後コンピューター装置等に出力されることになる。
【００４１】
以上に説明したように再生動作は行われるが、次に記録動作について説明する。光学式ピックアップ４におけるトラッキング制御動作、フォーカス制御動作及びスレッドモーターに対する制御動作は再生動作時と同様に行われる。記録動作を行う場合に使用される光ディスク１に記録されている同期信号の抽出動作及び位置情報データの抽出動作は、周知のように光ディスク１に形成されているプリグルーブと呼ばれる蛇行した溝から得られるウォブル信号によって行われる。
【００４２】
フロントエンド処理回路１０から生成されるウォブル信号は、ウォブルデコード回路(図示せず)に入力され、該ウォブルデコード回路による復調動作によって同期信号及び位置情報データが抽出される。光ディスク１に信号を記録する場合におけるスピンドルモーターの回転制御動作は、ウォブル信号から抽出される同期信号を利用して行われるとともに記録用のクロック信号も該同期信号に基づいて生成される。
【００４３】
前述したようにウォブル信号から抽出される同期信号に基づいて生成される記録用クロック信号によって記録信号の変調処理動作を行うべく設けられている記録信号処理回路１７による信号処理動作が行われる。前記記録信号処理回路１７に入力される記録信号は、信号規格に合わせた変調処理動作が行われて記録パルス生成回路１８に入力される。
【００４４】
斯かる記録信号が記録パルス生成回路１８に入力されると、該記録パルス生成回路１８によって記録信号に応じたパルス信号、即ち３Ｔ〜１１Ｔの長さのパルス信号が生成され、斯かるパルス信号に応じた駆動信号がレーザー駆動回路１９からレーザーダイオード５に供給される。斯かる駆動信号がレーザーダイオード５に供給されると、該レーザーダイオード５から照射されるレーザー光が光ディスク１の信号トラックに照射されるので、信号を光ディスク１上にピットを形成することによって記録することが出来る。
【００４５】
以上に説明したように本実施例における信号の再生動作及び信号の記録動作は行われるが、次に本発明の要旨であるレーザー出力の設定方法について図１に示したフローチャートを参照して説明する。
【００４６】
レーザー出力の設定動作は、光ディスク１に設けられている信号記録領域への信号の記録動作を行う前に光ディスク１に設けられている試し書き領域を使用して行われるが、斯かる動作はコンピューター装置から出力される命令信号に基づいて行われる。そして、斯かるレーザー出力の設定動作は、これから行う信号の記録速度に対して行われる。
【００４７】
コンピューター装置から使用される光ディスク１の記録特性及び記録速度に対応したレ
ーザー出力を設定するための命令信号が光ディスク記録再生装置に対して出力されると、レーザー出力の設定動作が開始される(ステップＡ)。斯かる動作が開始されると、まず、光ディスク１に記録されているディスクの種類を示すデータを読み出すことによって光ディスク１の種類を認識するとともにそのディスクに対するデータ、即ち光ディスク１の種類及び記録速度に対応したディスクデータがディスクデータメモリー回路２１に記憶されているか否かの検出動作が行われる(ステップＢ)。
【００４８】
ディスクデータメモリー回路２１にディスクデータが記録されているか否かの検出動作が行われると、ディスクデータがあるか否かの判定処理が行われる(ステップＣ)。ステップＣにおいて、使用される光ディスク１がディスクデータメモリー回路２１に記憶されているデータと合致した光ディスクであると判定されると、そのディスクデータに基いて設定されるレーザー出力によって試し書き領域にテスト信号を記録し、その記録されたテスト信号の再生動作を行ってβ値の検出動作が行われる(ステップＤ)。
【００４９】
斯かるステップＤの動作は、光ディスク１から読み出される位置情報データに基づいて光学式ピックアップ４を試し書き領域に移動させる動作、テスト信号をシステム制御回路１６による制御動作によって生成させるとともに記録信号処理回路１７による変調動作、記録パルス生成回路１８によるパルス生成動作が行われてレーザー駆動回路１９からレーザーダイオード５へ記録用のパルス信号が供給されるが、この場合のレーザー出力は、ディスクデータメモリー回路２１に記憶されている出力データに基いて設定される。
【００５０】
斯かるレーザー出力によってテスト信号が試し書き領域に所定時間記録されるが、斯かる記録動作が終了すると記録されたテスト信号の再生動作が行われるとともにβ値検出回路１５によるβ値の検出動作が行われる。斯かるβ値の検出動作は、フロントエンド処理回路１０から出力される高周波信号のプラス側のピークレベルＡ１とマイナス側のピークレベルＡ２を検出し、これらのレベル値を演算処理することによって行われる。
【００５１】
斯かる動作によってβ値が検出されると、検出されたβ値が信号記録規格にて規定されている値に対して設定範囲内、例えば±０．５％以内か否かの判定が行われる(ステップＥ)。ステップＥにてβ値が設定範囲内にあると判定されると、即ち信号記録規格にて規定されている値に対して許容範囲の値であると判定されると、テスト信号を記録したレーザー出力を実際に信号を記録するために設定するレーザー出力として決定するとともにその値に対するデータをディスクデータメモリー回路２１にディスクデータとして記憶させる動作が行われる(ステップＦ)。この場合は、ディスクデータメモリー回路２１に記憶されているディスクデータに基づいて設定されたレーザー出力が信号を記録するためのレーザー出力と同一になるため、該ディスクデータメモリー回路２１にディスクデータとして記憶させる必要はないが、更新するか否かは任意に行うことが出来る。
【００５２】
ステップＥの判定動作によってβ値が設定範囲内に無いと判定された場合には、システム制御回路１６内等に設けられている第１カウンター回路２２のカウント数を１増加させる動作が行われる(ステップＧ)。第１カウンター回路２２のカウント数が１増加するとカウント数が設定数か否かの判定が行われる(ステップＨ)。第１カウンター回路２２にてカウントされる数は、ディスクデータメモリー回路２１に記憶されているディスクデータに基づいて設定されるレーザー出力によるテスト信号の記録動作及びβ値の検出動作を行った回数を示すものであり、この場合における設定数は、第１所定回数として例えば５回とされている。
【００５３】
ステップＨにて設定カウント数ではないと判定されると、レーザー出力を検出されたβ値の規定値からのズレを補正する方向に１段階変更してテスト信号の記録動作を行うとともに記録されたテスト信号の再生動作を行ってβ値の検出動作を行う(ステップＩ)。斯か
る場合におけるレーザー出力の変更動作は、例えば２ｍＷずつ増加又は減少させることによって行われる。
【００５４】
ステップＩの動作が行われると、ステップＥに戻ってβ値が設定範囲内か否かの判定動作が行われる。ステップＥにてβ値が設定範囲内であると判定されると、ステップＦの動作、即ちディスクデータメモリー回路２１に記憶されていたレーザー出力値を２ｍＷだけ増加又は減少させたレーザー出力値が信号を記録するために適したレーザー出力として決定されるとともに変更されたレーザー出力値をディスクデータメモリー回路２１に記憶する動作が行われる。
【００５５】
ステップＥの判定動作によってβ値が設定範囲内にあると判定された場合には、ステップＦの処理動作が行われて、信号の光ディスク１への記録動作を開始させることが出来るが、ステップＥの判定動作によってβ値が設定範囲内にないと判定された場合には、前述したステップＧからの処理動作が行われることになる。
【００５６】
レーザー出力を１段階ずつ変更させてテスト信号を記録し、記録されたテスト信号のβ値を検出する動作を第１所定回数である５回行ったにも係らずβ値が設定範囲内にならなかった場合には、ステップＨにおいて、カウント数が設定数に達したと判定されることになる。
【００５７】
ステップＨにおいて、カウント数が設定数に達したと判定されると、光ディスク１の記録特性は、ディスクデータメモリー回路２１に記憶されているディスクデータとは大きく相違するものであると判定される。この場合には、レーザー出力を規定値、即ち各種の記録用ディスクの平均値として設定されている値に設定し、そのレーザー出力によって試し書き領域にテスト信号を記録し、その記録されたテスト信号の再生動作を行ってβ値の検出動作が行われる(ステップＪ)。
【００５８】
斯かる動作によってβ値が検出されると、前述したステップＥの処理動作と同様に検出されたβ値が信号記録規格にて規定されている値に対して設定範囲内、例えば±０．５％以内か否かの判定が行われる(ステップＫ)。ステップＫにてβ値が設定範囲内にあると判定されると、即ち信号記録規格にて規定されている値に対して許容範囲の値であると判定されると、テスト信号を記録したレーザー出力を実際に信号を記録するために設定するレーザー出力として決定するとともにその値に対するデータをディスクデータメモリー回路２１にディスクデータとして記憶させる動作が行われる(ステップＬ)。
【００５９】
ステップＫの判定動作によってβ値が設定範囲内に無いと判定された場合には、システム制御回路１６内等に設けられている第２カウンター回路２３のカウント数を１増加させる動作が行われる(ステップＭ)。第２カウンター回路２３のカウント数が１増加するとカウント数が設定数か否かの判定が行われる(ステップＮ)。第２カウンター回路２３にてカウントされる数は、規定値に基づいて設定されるレーザー出力によるテスト信号の記録動作及びβ値の検出動作を行った回数を示すものであり、この場合における設定数は、第２所定回数として例えば８回とされている。
【００６０】
ステップＮにて設定カウント数ではないと判定されると、レーザー出力を検出されたβ値の規定値からのズレを補正する方向に１段階変更してテスト信号の記録動作を行うとともに記録されたテスト信号の再生動作を行ってβ値の検出動作を行う(ステップＯ)。斯かる場合におけるレーザー出力の変更動作は、例えば２ｍＷずつ増加又は減少させることによって行われる。
【００６１】
ステップＯの動作が行われると、ステップＫに戻ってβ値が設定範囲内か否かの判定動
作が行われる。ステップＫにてβ値が設定範囲内であると判定されると、ステップＬの動作、即ちレーザー出力値を規定値から２ｍＷだけ増加又は減少させたレーザー出力値が信号を記録するために適したレーザー出力として決定されるとともにその決定されたレーザー出力値をディスクデータメモリー回路２１に記憶する動作が行われる。
【００６２】
ステップＫの判定動作によってβ値が設定範囲内にあると判定された場合には、ステップＬの処理動作が行われて、信号の光ディスク１への記録動作を開始させることが出来るが、ステップＫの判定動作によってβ値が設定範囲内にないと判定された場合には、前述したステップＭからの処理動作が行われることになる。
【００６３】
レーザー出力を規定値から１段階ずつ変更させてテスト信号を記録し、記録されたテスト信号のβ値を検出する動作を第２所定回数である８回行ったにも係らずβ値が設定範囲内にならなかった場合には、ステップＮにおいて、カウント数が設定数に達したと判定されることになる。
【００６４】
ステップＮにおいて、カウント数が設定数に達したと判定されると、光ディスク１の記録特性は、ディスクデータメモリー回路２１に記憶されているディスクデータとは大きく相違するものであるだけでなく規定値のレーザー出力に基づくレーザー出力の変更動作を行ってもレーザー出力の設定動作を行うことが出来ないディスク、即ち特性異常なディスクであると判定することになる。そして、この場合には、光ディスク記録再生装置としては、エラー処理を行うとともにディスクデータメモリー回路２１に記憶されているディスクデータをクリアする動作が行われる(ステップＰ)。即ち、このようなクリア処理動作が行われると、光ディスク１の種別に基づくレーザー出力に関するデータはディスクデータメモリー回路２１から消去されることになる。
【００６５】
ステップＣの処理動作によって光ディスク１がディスクデータメモリー回路２１に記憶されている光ディスクの種別及びレーザー出力のデータと一致するディスクであると判定された場合の動作は、前述したように行われるが、ステップＣの動作によってディスクデータが無いディスクであると判定された場合の動作について説明する。
【００６６】
ステップＣにおいて、データは無いと判定されると、前述したステップＪからの動作が開始される。即ち、この場合には、光ディスク１がディスクデータの無いディスクであると判定されるので、規定値のレーザー出力に基づいてテスト信号の試し書き領域への記録動作及びβ値の検出動作が行われることになる。前述した動作が行われてβ値が所定の範囲内に入った場合には、ステップＬの動作、即ちレーザー出力の決定動作及びディスクデータメモリー回路２１へのディスクデータの記憶動作が行われる。
【００６７】
また、第２所定回数である８回のレーザー出力の変更によるテスト信号の記録動作及びβ値の検出動作が行われたにも係らずβ値が所定の範囲にならなかった場合には、ステップＰの処理動作、即ちエラー処理を行うとともにディスクデータメモリー回路２１に記憶されているディスクデータをクリアする動作が行われる。尚、この場合には、対応するディスクデータがディスクデータメモリー回路２１に記憶されていないので、クリア動作は行われることはない。斯かる場合のディスクデータメモリー回路２１に対してクリア動作を行うか否かの処理動作は、ステップＣの処理動作を行う場合にフラグと呼ばれる処理をプログラム上で設定するようにすれば容易に選択することが出来る。
【００６８】
尚、本実施例では、第１カウンター回路２２にてカウントされる第１所定回数を５回、第２カウンター回路２３にてカウントされる第２所定回数を８回としたが、その回数は限定されるものではない。第１所定回数の方が第２所定回数より少ない理由は、第１所定回数は、ディスクデータメモリー回路２１にディスクデータが記憶されている光ディスク１
に対するレーザー出力の設定動作を行う場合であるので、少ない回数にてβ値が設定範囲内に入る可能性が高いからである。
【図面の簡単な説明】
【００６９】
【図１】本発明のレーザー出力設定方法を示すフローチャートである。
【図２】本発明に係る光ディスク記録再生装置の一実施例を示すブロック回路図である。
【図３】本発明の動作を説明するための信号波形図である。
【符号の説明】
【００７０】
１        光ディスク
２        スピンドルモーター
４        光学式ピックアップ
５        レーザーダイオード
６        光検出器
１０        フロントエンド処理回路
１４        デジタル信号処理回路
１５        β値検出回路
１６        システム制御回路
１７        記録信号処理回路
１８        記録パルス生成回路
１９        レーザー駆動回路
２０        スピンドルモーター駆動回路
２１        ディスクデータメモリー回路
２２        第１カウンター回路
２３        第２カウンター回路
【図１】
0004429220.tif 000002
【図２】
0004429220.tif 000003
【図３】
0004429220.tif 000004